(57)【要約】【課題】周期的な輝度ムラの発生を抑制する。【解決手段】バックライト装置１２は、行方向及び列方向に沿って並ぶ複数のＬＥＤ１３と、ＬＥＤ１３から発せられた光の少なくとも一部を透過する反射板１８と、を備えるバックライト装置１２であって、反射板１８は、複数のＬＥＤ１３と間隔を空けて配される複数の単位ＬＥＤ領域２４と、複数の単位ＬＥＤ領域２４に設けられて光を反射する光反射パターン２２と、複数の単位ＬＥＤ領域２４に設けられて光を透過する光透過パターン２３と、を有しており、複数の単位ＬＥＤ領域２４は、行方向及び列方向の少なくとも一方について隣り合うもの同士で光反射パターン２２及び光透過パターン２３の少なくとも一方の分布が異なるよう配される。【選択図】図３
2019129066.tif 000002
【特許請求の範囲】
【請求項１】
行方向及び列方向に沿って並ぶ複数の光源と、
前記光源から発せられた光の少なくとも一部を透過する反射板と、を備える照明装置であって、
前記反射板は、
複数の前記光源と間隔を空けて配される複数の単位光源領域と、
複数の前記単位光源領域に設けられて光を反射する光反射パターンと、
複数の前記単位光源領域に設けられて光を透過する光透過パターンと、を有しており、
複数の前記単位光源領域は、前記行方向及び前記列方向の少なくとも一方について隣り合うもの同士で前記光反射パターン及び前記光透過パターンの少なくとも一方の分布が異なるよう配される照明装置。
【請求項２】
複数の前記単位光源領域は、前記光反射パターン及び前記光透過パターンの少なくとも一方の分布が異なるもの同士で前記光反射パターン及び前記光透過パターンの各面積比率が等しくなるよう設けられる請求項１記載の照明装置。
【請求項３】
複数の前記単位光源領域は、前記行方向及び前記列方向の少なくとも一方について隣り合うもの同士で前記光反射パターン及び前記光透過パターンの分布がそれぞれ異なるよう配される請求項１または請求項２記載の照明装置。
【請求項４】
複数の前記単位光源領域は、少なくとも前記光反射パターンの分布が同じとされる請求項１または請求項２記載の照明装置。
【請求項５】
複数の前記単位光源領域は、前記行方向及び前記列方向の一方について隣り合うもの同士で前記光反射パターン及び前記光透過パターンの分布がそれぞれ同じとなるよう配される請求項４記載の照明装置。
【請求項６】
複数の前記単位光源領域は、前記行方向及び前記列方向について隣り合うもの同士で前記光反射パターン及び前記光透過パターンの少なくとも一方の分布が異なるよう配される請求項１から請求項４のいずれか１項に記載の照明装置。
【請求項７】
複数の前記単位光源領域は、前記行方向及び前記列方向に対する斜め方向について隣り合うもの同士で前記光反射パターン及び前記光透過パターンの少なくとも一方の分布が同じになるよう配される請求項６記載の照明装置。
【請求項８】
複数の前記単位光源領域は、前記光反射パターン及び前記光透過パターンの少なくとも一方の分布が異なるものの種類数が、前記行方向及び前記列方向についての前記単位光源領域の並び数の最小値の半分以上の数とされる請求項７記載の照明装置。
【請求項９】
複数の前記単位光源領域は、前記行方向及び前記列方向に対する斜め方向について隣り合うもの同士で前記光反射パターン及び前記光透過パターンの少なくとも一方の分布が異なるよう配される請求項６記載の照明装置。
【請求項１０】
複数の前記単位光源領域には、前記光反射パターン及び前記光透過パターンの少なくとも一方の分布が異なる３種類以上のものが含まれる請求項１から請求項９のいずれか１項に記載の照明装置。
【請求項１１】
前記光反射パターン及び前記光透過パターンは、前記単位光源領域を平面充填するよう並ぶ複数の単位領域に区分したとき、前記単位光源領域における分布が非点対称状となるよう複数の前記単位領域に割り当てられる請求項１から請求項１０のいずれか１項に記載の照明装置。
【請求項１２】
前記単位光源領域は、前記光源と重畳する光源重畳領域と前記光源重畳領域の周りに配される光源周辺領域とからなり、前記光反射パターンは、前記単位光源領域において前記光源周辺領域よりも前記光源重畳領域の方が面積比率が高くなるよう設けられ、前記光透過パターンは、前記単位光源領域において前記光源重畳領域よりも前記光源周辺領域の方が面積比率が高くなるよう設けられる請求項１から請求項１１のいずれか１項に記載の照明装置。
【請求項１３】
前記反射板は、光を透過する透過基板を有しており、
前記光反射パターンは、前記透過基板の板面に部分的に形成されるのに対し、前記光透過パターンは、前記透過基板のうちの前記光反射パターンの非形成箇所からなる請求項１から請求項１２のいずれか１項に記載の照明装置。
【請求項１４】
前記反射板は、光を反射する反射基板を有しており、
前記光透過パターンは、前記反射基板を部分的に開口させて形成されるのに対し、前記光反射パターンは、前記反射基板のうちの前記光透過パターンの非形成箇所からなる請求項１から請求項１２のいずれか１項に記載の照明装置。
【請求項１５】
請求項１から請求項１４のいずれか１項に記載の照明装置と、
前記照明装置から照射される光を利用して画像を表示する表示パネルと、を備える表示装置。
【発明の詳細な説明】
【技術分野】
【０００１】
本発明は、照明装置及び表示装置に関する。
【背景技術】
【０００２】
従来の液晶表示装置などに用いられるバックライト装置の一例として下記特許文献１に記載されたものが知られている。この特許文献１に記載されたバックライト装置は、光透過性板の表面または裏面のいずれか一方の面でかつ光源に対応する位置に光透過性印刷膜を形成するとともに、上記光透過性板の単位面積当たりの上記光透過性印刷膜の占有面積率を、上記光源からの光の輝度の高い部分では大きくする一方、該光の輝度の高い部分から光の輝度が低下するに従い徐々に小さくなるようにした照明用板を有する。
【先行技術文献】
【特許文献】
【０００３】
【特許文献１】特許第２７１７６５０号公報
【発明の概要】
【発明が解決しようとする課題】
【０００４】
上記した特許文献１に記載されたバックライト装置では、光源からの距離に応じて光透過性印刷膜の占有面積率を周期的に変化させている。このため、光透過性板の出射光は、光透過性印刷膜の周期的な配置に起因する周期的な輝度ムラを生じさせるおそれがあった。
【０００５】
本発明は上記のような事情に基づいて完成されたものであって、周期的な輝度ムラの発生を抑制することを目的とする。
【課題を解決するための手段】
【０００６】
本発明の照明装置は、行方向及び列方向に沿って並ぶ複数の光源と、前記光源から発せられた光の少なくとも一部を透過する反射板と、を備える照明装置であって、前記反射板は、複数の前記光源と間隔を空けて配される複数の単位光源領域と、複数の前記単位光源領域に設けられて光を反射する光反射パターンと、複数の前記単位光源領域に設けられて光を透過する光透過パターンと、を有しており、複数の前記単位光源領域は、前記行方向及び前記列方向の少なくとも一方について隣り合うもの同士で前記光反射パターン及び前記光透過パターンの少なくとも一方の分布が異なるよう配される。
【０００７】
このようにすれば、反射板が有する複数の単位光源領域は、複数の光源と同様に行方向及び列方向に沿って並んで配されている。複数の単位光源領域には、光を反射する光反射パターンと、光を透過する光透過パターンと、が設けられることで、出射光量の分布が制御される。そして、行方向及び列方向の少なくとも一方について隣り合う単位光源領域は、光反射パターン及び光透過パターンの少なくとも一方の分布が異なっているので、光反射パターン及び光透過パターンの少なくとも一方が、行方向及び列方向の少なくとも一方について連続した周期性を持つことが避けられる。これにより、周期的な輝度ムラが視認され難くなる。
【発明の効果】
【０００８】
本発明によれば、周期的な輝度ムラの発生を抑制することができる。
【図面の簡単な説明】
【０００９】
【図１】本発明の実施形態１に係る液晶表示装置の断面図
【図２】液晶表示装置に備わるバックライト装置を構成するＬＥＤ基板におけるＬＥＤの平面配置を示す平面図
【図３】反射板における単位ＬＥＤ領域の平面図
【図４】本発明の実施形態２に係る反射板における単位ＬＥＤ領域の平面図
【図５】本発明の実施形態３に係る反射板における単位ＬＥＤ領域の配列を表す模式図
【図６】本発明の実施形態４に係る反射板における単位ＬＥＤ領域の平面図
【図７】反射板における単位ＬＥＤ領域の配列を表す模式図
【図８】本発明の実施形態５に係る反射板における単位ＬＥＤ領域の配列を表す模式図
【図９】本発明の実施形態６に係る反射板における単位ＬＥＤ領域の配列を表す模式図
【図１０】本発明の実施形態７に係る反射板における単位ＬＥＤ領域の平面図
【図１１】本発明の実施形態８に係る反射板における単位ＬＥＤ領域の平面図
【図１２】本発明の実施形態９に係る反射板における単位ＬＥＤ領域の平面図
【図１３】本発明の実施形態１０に係る液晶表示装置の断面図
【図１４】反射板における単位ＬＥＤ領域の平面図
【図１５】本発明の他の実施形態（１）に係る反射板における単位ＬＥＤ領域の配列を表す模式図
【発明を実施するための形態】
【００１０】
＜実施形態１＞
本発明の実施形態１を図１から図３によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。また、図１の上側を表側とし、同図下側を裏側とする。
【００１１】
液晶表示装置１０は、図１に示すように、画像を表示可能な液晶パネル（表示パネル）１１と、液晶パネル１１に対して裏側（入光側）に配されて液晶パネル１１に表示のための光を照射する外部光源であるバックライト装置（照明装置）１２と、を少なくとも備える。このうち、液晶パネル１１は、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタやカラーフィルタ間を仕切るブラックマトリクスの他に配向膜等が設けられている。なお、両ガラス基板の外側にはそれぞれ偏光板が配されている。
【００１２】
続いて、バックライト装置１２について詳しく説明する。バックライト装置１２は、図１に示すように、光源であるＬＥＤ１３と、ＬＥＤ１３が実装されたＬＥＤ基板（光源基板）１４と、ＬＥＤ基板１４の表面を覆うよう配されて光を反射する反射シート１５と、ＬＥＤ１３と間隔を空けて対向状に配される光学部材１６と、を備える。このように、本実施形態に係るバックライト装置１２は、液晶パネル１１及び光学部材１６の直下位置にＬＥＤ１３が配されており、いわゆる直下型とされる。なお、バックライト装置１２は、光学部材１６の外周端部を保持する枠状のフレーム（図示せず）を備えるのが好ましい。以下では、バックライト装置１２の各構成部品について詳しく説明する。
【００１３】
ＬＥＤ１３は、図１及び図２に示すように、ＬＥＤ基板１４の板面内においてＸ軸方向（行方向）及びＹ軸方向（列方向）に沿って複数ずつ間隔を空けてマトリクス状（行列状）に並んで配されている。ＬＥＤ１３は、ＬＥＤ基板１４における表側の板面に表面実装されるとともにその発光面１３ＡがＬＥＤ基板１４側とは反対側（表側）を向いた、いわゆる頂面発光型とされている。ＬＥＤ１３は、発光面１３Ａが光学部材１６の板面と対向する位置関係にある。ＬＥＤ１３は、ＬＥＤ基板１４の板面に固着される基板部上に半導体発光素子であるＬＥＤチップ（ＬＥＤ素子）を封止材により封止した構成とされる。ＬＥＤ１３は、ＬＥＤチップが例えば青色光を単色発光するものとされ、封止材に蛍光体（黄色蛍光体、緑色蛍光体、赤色蛍光体など）が分散配合されることで全体として白色光を発する。
【００１４】
ＬＥＤ基板１４は、図１に示すように、反射シート１５や光学部材１６の板面に並行する板面を有する板状をなしている。ＬＥＤ基板１４は、表側の板面が反射シート１５及び光学部材１６の板面と対向状をなしており、ここが上記したＬＥＤ１３が表面実装される実装面１４Ａとされる。ＬＥＤ基板１４の実装面１４Ａには、銅箔などの金属膜からなる配線パターン（図示せず）が形成され、その配線パターンによって各ＬＥＤ１３への給電がなされる。
【００１５】
反射シート１５は、合成樹脂製とされ、表面が光の反射性に優れた白色を呈している。反射シート１５は、図１に示すように、ＬＥＤ基板１４の実装面１４Ａをほぼ全域にわたって表側から覆う形で積層されており、各ＬＥＤ１３と重畳する位置に各ＬＥＤ１３を個別に通すためのＬＥＤ挿通孔１５Ａが開口形成されている。ＬＥＤ挿通孔１５Ａは、ＬＥＤ基板１４における各ＬＥＤ１３と整合するようＸ軸方向及びＹ軸方向に沿って複数ずつ間隔を空けてマトリクス状に並んで配されている。
【００１６】
光学部材１６は、図１に示すように、液晶パネル１１やＬＥＤ基板１４などの板面に並行する板面を有する。光学部材１６は、Ｚ軸方向について液晶パネル１１とＬＥＤ１３との間に介在する配置とされており、ＬＥＤ１３から発せられた光に所定の光学作用を付与しつつ液晶パネル１１に向けて出射させる機能を有する。光学部材１６は、ＬＥＤ基板１４の実装面１４Ａと対向状をなす裏側の板面が、光が入射される入光面とされるのに対し、液晶パネル１１と対向状をなす表側の板面が、光が出射される出光面とされる。光学部材１６には、互いに積層される４枚が含まれており、裏側から順に拡散シート１７、反射板１８、第１レンズシート１９、第２レンズシート２０とされる。このうちの拡散シート１７は、ほぼ透明な合成樹脂製の基材中に光を拡散させるための拡散粒子を多数分散配合した構成とされている。２枚のレンズシート１９，２０は、ほぼ透明な合成樹脂製の基材における板面にＸ軸方向またはＹ軸方向に沿って延在する単位レンズを、その延在方向と直交する方向（Ｙ軸方向またはＸ軸方向）について多数並べて設けた構成とされており、入射光に対して単位レンズの並び方向について選択的に集光作用を付与するものである。
【００１７】
反射板１８について詳しく説明する。反射板１８は、図１に示すように、ＬＥＤ１３に対して表側に間隔を空けて対向状に配される透過基板２１を有しており、その板面に光を反射する光反射パターン２２が設けられている。なお、図１では、光反射パターン２２（光透過パターン２３）の分布が概略的に表されている。透過基板２１は、ほぼ透明な合成樹脂製（例えばアクリル樹脂製）とされ、光（可視光線）を透過するものである。従って、透過基板２１のうちの光反射パターン２２が非形成とされる箇所が、光を透過する光透過パターン２３となっている。透過基板２１は、その板面内に重畳するよう配された複数のＬＥＤ１３に対して個別に対応付けられた複数の単位ＬＥＤ領域２４に区分されている。単位ＬＥＤ領域２４は、図３に示すように、平面に視てほぼ正方形状をなしており、その一辺の長さがＬＥＤ１３の外形寸法よりも大きい。単位ＬＥＤ領域２４は、間隔を空けて対向するＬＥＤ１３と同様に、Ｘ軸方向（行方向）及びＹ軸方向（列方向）に沿って複数ずつ間隔を空けてマトリクス状（行列状）に並んで配されている。各単位ＬＥＤ領域２４は、ＬＥＤ１３と平面に視て重畳するＬＥＤ重畳領域（光源重畳領域）２５と、ＬＥＤ１３とは平面に視て非重畳とされてＬＥＤ重畳領域２５の周りに配されるＬＥＤ周辺領域（光源周辺領域）２６と、から構成される。なお、図３では、Ｘ軸方向及びＹ軸方向について２つずつ並ぶ合計４つの単位ＬＥＤ領域２４を代表して図示するとともに、各単位ＬＥＤ領域２４における光反射パターン２２を網掛け状にして図示している。
【００１８】
光反射パターン２２は、光反射率に優れた白色を呈するインク（白色塗料）からなる。光反射パターン２２は、透過基板２１における裏側の板面（入光面）に対して例えばスクリーン印刷、インクジェット装置やディスペンサ装置を用いた印刷、グラビア印刷などにより印刷形成される。それ以外にも、光反射パターン２２の材料を金属材料（アルミニウムや銀など）とし、蒸着法（マスク蒸着）により金属薄膜を透過基板２１の板面に蒸着することで光反射パターン２２を形成することも可能である。光反射パターン２２は、図３に示すように、単位ＬＥＤ領域２４の面内において所定の分布でもって分散配置された多数の光反射ドット２２Ａからなる。本実施形態では、光反射ドット２２Ａは、平面形状が円形状とされる。光反射パターン２２は、単位ＬＥＤ領域２４においてその中心（ＬＥＤ１３）からの距離に応じて分布が変化するようパターニングされている。すなわち、光反射パターン２２は、単位ＬＥＤ領域２４においてＬＥＤ重畳領域２５では面積比率が相対的に高くなり、ＬＥＤ周辺領域２６では面積比率が相対的に低くなるようパターニングされている。具体的には、光反射パターン２２を構成する多数の光反射ドット２２Ａは、単位ＬＥＤ領域２４の中心から遠ざかるほど径寸法及び表面積が小さくなり、逆に単位ＬＥＤ領域２４の中心に近づくほど径寸法及び表面積が大きくなる分布とされる。従って、透過基板２１における光反射パターン２２の非形成箇所である光透過パターン２３は、単位ＬＥＤ領域２４においてＬＥＤ重畳領域２５では面積比率が相対的に低くなり、ＬＥＤ周辺領域２６では面積比率が相対的に高くなるよう、光反射パターン２２とは逆相関の関係となる分布とされる。このような構成によれば、ＬＥＤ１３から発せられた光が反射板１８に到達すると、ＬＥＤ重畳領域２５では面積比率が高い光反射パターン２２によって多くの光が裏側（ＬＥＤ１３側）へ向けて反射されるのに対し、ＬＥＤ周辺領域２６では面積比率が高い光透過パターン２３によって表側（出光側）へ向けて透過される。光反射パターン２２による反射光は、反射シート１５により反射されるなどして再び反射板１８に到達するが、その過程で一部がＬＥＤ周辺領域２６へ向かって光透過パターン２３を透過する。以上のように、本来的に光量が多いＬＥＤ重畳領域２５では出光が抑制されるとともに本来的に光量が少ないＬＥＤ周辺領域２６では出光が促進され、もって出射光量の均一化が図られる。また、光反射パターン２２は、ＬＥＤ重畳領域２５における面積比率がほぼ１００％とされている。つまり、ＬＥＤ重畳領域２５は、全域にわたって光反射パターン２２によって被覆されている。従って、ＬＥＤ１３から発せられてＬＥＤ重畳領域２５へ向かう光は、そのほぼ全てが光反射パターン２２によって裏側に反射され、ＬＥＤ重畳領域２５を直接透過することが避けられる。これにより、ＬＥＤ１３が使用者に直接視認されるのが避けられ、もって輝度ムラをより好適に生じ難くすることができる。
【００１９】
さて、本実施形態に係る単位ＬＥＤ領域２４は、図３に示すように、Ｘ軸方向及びＹ軸方向について隣り合うもの同士で光反射パターン２２及び光透過パターン２３の分布がそれぞれ異なるよう配されている。つまり、複数の単位ＬＥＤ領域２４には、光反射パターン２２及び光透過パターン２３の分布がそれぞれ異なる第１単位ＬＥＤ領域２４Ａと第２単位ＬＥＤ領域２４Ｂとの２種類が備えられており、これらがＸ軸方向及びＹ軸方向について隣り合って配されている。このような構成によれば、Ｘ軸方向及びＹ軸方向について隣り合う単位ＬＥＤ領域２４に備わる光反射パターン２２及び光透過パターン２３の双方が、Ｘ軸方向及びＹ軸方向についてそれぞれ連続した周期性を持つことが避けられる。これにより、周期的な輝度ムラが極めて視認され難くなり、もってバックライト装置１２の出射光に係る輝度均整度を８５％以上とすることができる。なお、以下では単位ＬＥＤ領域２４を区別する場合には、図３に示す左上位置及び右下位置に示されるものを「第１単位ＬＥＤ領域」としてその符号に添え字Ａを、図３に示す左下位置及び右上位置に示されるものを「第２単位ＬＥＤ領域」としてその符号に添え字Ｂを付し、区別せずに総称する場合には、符号に添え字を付さないものとする。
【００２０】
第１単位ＬＥＤ領域２４Ａ及び第２単位ＬＥＤ領域２４Ｂは、図３に示すように、光反射パターン２２及び光透過パターン２３の各面積比率が互いに等しい。つまり、第１単位ＬＥＤ領域２４Ａにおける光反射パターン２２の面積比率と、第２単位ＬＥＤ領域２４Ｂにおける光反射パターン２２の面積比率と、が互いに等しくされるとともに、第１単位ＬＥＤ領域２４Ａにおける光透過パターン２３の面積比率と、第２単位ＬＥＤ領域２４Ｂにおける光透過パターン２３の面積比率と、が互いに等しくされている。このような構成によれば、Ｘ軸方向及びＹ軸方向について隣り合う第１単位ＬＥＤ領域２４Ａと第２単位ＬＥＤ領域２４Ｂとの間で出射光量が同等となり、輝度差が生じ難くなる。これにより、反射板１８の出射光に輝度ムラが生じ難くなる。
【００２１】
４つの単位ＬＥＤ領域２４は、図３に示すように、Ｘ軸方向及びＹ軸方向に対する斜め方向について隣り合うもの同士で光反射パターン２２及び光透過パターン２３の分布が同じになるよう配される。つまり、２つの第１単位ＬＥＤ領域２４Ａは、図３に示す左下位置及び右上位置に配されていてＸ軸方向及びＹ軸方向に対する斜め方向について隣り合っている。同様に、２つの第２単位ＬＥＤ領域２４Ｂは、図３に示す左上位置及び右下位置に配されていてＸ軸方向及びＹ軸方向に対する斜め方向について隣り合っている。このような構成によれば、複数の単位ＬＥＤ領域２４における光反射パターン２２及び光透過パターン２３の設計が単純になるので、生産性などに優れる。
【００２２】
以上説明したように本実施形態のバックライト装置（照明装置）１２は、行方向及び列方向に沿って並ぶ複数のＬＥＤ（光源）１３と、ＬＥＤ１３から発せられた光の少なくとも一部を透過する反射板１８と、を備えるバックライト装置１２であって、反射板１８は、複数のＬＥＤ１３と間隔を空けて配される複数の単位ＬＥＤ領域（単位光源領域）２４と、複数の単位ＬＥＤ領域２４に設けられて光を反射する光反射パターン２２と、複数の単位ＬＥＤ領域２４に設けられて光を透過する光透過パターン２３と、を有しており、複数の単位ＬＥＤ領域２４は、行方向及び列方向の少なくとも一方について隣り合うもの同士で光反射パターン２２及び光透過パターン２３の少なくとも一方の分布が異なるよう配される。
【００２３】
このようにすれば、反射板１８が有する複数の単位ＬＥＤ領域２４は、対向状をなす複数のＬＥＤ１３と同様に行方向及び列方向に沿って並んで配されている。複数の単位ＬＥＤ領域２４には、光を反射する光反射パターン２２と、光を透過する光透過パターン２３と、が設けられることで、出射光量の分布が制御される。そして、行方向及び列方向の少なくとも一方について隣り合う単位ＬＥＤ領域２４は、光反射パターン２２及び光透過パターン２３の少なくとも一方の分布が異なっているので、光反射パターン２２及び光透過パターン２３の少なくとも一方が、行方向及び列方向の少なくとも一方について連続した周期性を持つことが避けられる。これにより、周期的な輝度ムラが視認され難くなる。
【００２４】
また、複数の単位ＬＥＤ領域２４は、光反射パターン２２及び光透過パターン２３の少なくとも一方の分布が異なるもの同士で光反射パターン２２及び光透過パターン２３の各面積比率が等しくなるよう設けられる。このようにすれば、光反射パターン２２及び光透過パターン２３の少なくとも一方の分布が異なる単位ＬＥＤ領域２４間で出射光に係る輝度差が生じ難くなる。これにより、反射板１８の出射光に輝度ムラが生じ難くなる。
【００２５】
また、複数の単位ＬＥＤ領域２４は、行方向及び列方向の少なくとも一方について隣り合うもの同士で光反射パターン２２及び光透過パターン２３の分布がそれぞれ異なるよう配される。このようにすれば、光反射パターン２２及び光透過パターン２３が、行方向及び列方向の少なくとも一方について連続した周期性を持つことが避けられるので、周期的な輝度ムラがより視認され難くなる。
【００２６】
また、複数の単位ＬＥＤ領域２４は、行方向及び列方向について隣り合うもの同士で光反射パターン２２及び光透過パターン２３の少なくとも一方の分布が異なるよう配される。このようにすれば、光反射パターン２２及び光透過パターン２３の少なくとも一方が、行方向及び列方向についてそれぞれ連続した周期性を持つことが避けられるので、周期的な輝度ムラがより視認され難くなる。
【００２７】
また、複数の単位ＬＥＤ領域２４は、行方向及び列方向に対する斜め方向について隣り合うもの同士で光反射パターン２２及び光透過パターン２３の少なくとも一方の分布が同じになるよう配される。このようにすれば、複数の単位ＬＥＤ領域２４における光反射パターン２２及び光透過パターン２３の設計が単純になるので、生産性などに優れる。
【００２８】
また、単位ＬＥＤ領域２４は、ＬＥＤ１３と重畳するＬＥＤ重畳領域（光源重畳領域）２５とＬＥＤ重畳領域２５の周りに配されるＬＥＤ周辺領域（光源周辺領域）２６とからなり、光反射パターン２２は、単位ＬＥＤ領域２４においてＬＥＤ周辺領域２６よりもＬＥＤ重畳領域２５の方が面積比率が高くなるよう設けられ、光透過パターン２３は、単位ＬＥＤ領域２４においてＬＥＤ重畳領域２５よりもＬＥＤ周辺領域２６の方が面積比率が高くなるよう設けられる。このようにすれば、反射板１８の単位ＬＥＤ領域２４は、ＬＥＤ重畳領域２５における光反射パターン２２の面積比率が高く且つ光透過パターン２３の面積比率が低くなっているのに対し、ＬＥＤ周辺領域２６における光反射パターン２２の面積比率が低く且つ光透過パターン２３の面積比率が高くなっている。これにより、ＬＥＤ重畳領域２５からの出光が抑制されるとともにＬＥＤ周辺領域２６からの出光が促進され、もって出射光量の均一化が図られる。
【００２９】
また、反射板１８は、光を透過する透過基板２１を有しており、光反射パターン２２は、透過基板２１の板面に部分的に形成されるのに対し、光透過パターン２３は、透過基板２１のうちの光反射パターン２２の非形成箇所からなる。このようにすれば、透過基板２１の板面にインクなどを塗布することで光反射パターン２２を部分的に形成することができ、透過基板２１のうちのインクなどが塗布されない箇所が光透過パターン２３となる。これにより、反射板１８の製造が容易となって製造コストを低廉化する上で好適となる。特に、光反射パターン２２及び光透過パターン２３が複雑な場合に有用である。
【００３０】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような液晶表示装置１０によれば、バックライト装置１２の出射光が周期的な輝度ムラの抑制されたものとなっているから、優れた表示品位が得られる。
【００３１】
＜実施形態２＞
本発明の実施形態２を図４によって説明する。この実施形態２では、単位ＬＥＤ領域１２４を変更したものを示す。なお、上記した実施形態１と同様の構造、作用及び効果について重複する説明は省略する。
【００３２】
本実施形態に係る複数の単位ＬＥＤ領域１２４は、図４に示すように、上記した実施形態１に記載されたものと同じ第１単位ＬＥＤ領域１２４Ａと、上記した実施形態１に記載された第２単位ＬＥＤ領域２４Ｂ（図３を参照）とは異なる第３単位ＬＥＤ領域１２４Ｃと、を含む構成とされる。図４における左下位置及び右上位置に示されるものが第３単位ＬＥＤ領域１２４Ｃである。本実施形態では、第３単位ＬＥＤ領域の符号に添え字「Ｃ」を付している。第３単位ＬＥＤ領域１２４Ｃは、第１単位ＬＥＤ領域１２４Ａ及び第２単位ＬＥＤ領域２４Ｂのいずれとも光反射パターン１２２及び光透過パターン１２３の分布（光反射ドット１２２Ａの配置や大きさ）がそれぞれ異なっている。その一方で、第３単位ＬＥＤ領域１２４Ｃは、第１単位ＬＥＤ領域１２４Ａ及び第２単位ＬＥＤ領域１２４Ｂのいずれとも光反射パターン１２２及び光透過パターン１２３の各面積比率が等しい。このような構成によっても、上記した実施形態１と同様の作用及び効果を得ることができる。
【００３３】
＜実施形態３＞
本発明の実施形態３を図５によって説明する。この実施形態３では、上記した実施形態１，２から単位ＬＥＤ領域２２４の配列を変更したものを示す。なお、上記した実施形態１，２と同様の構造、作用及び効果について重複する説明は省略する。
【００３４】
本実施形態に係る複数の単位ＬＥＤ領域２２４には、図５に示すように、上記した実施形態１に記載した第１単位ＬＥＤ領域２２４Ａ及び第２単位ＬＥＤ領域２２４Ｂと、上記した実施形態２に記載した第３単位ＬＥＤ領域２２４Ｃと、の３種類が含まれる。なお、図５は、Ｘ軸方向及びＹ軸方向に沿って６個ずつ並ぶ単位ＬＥＤ領域２２４の配列を表す模式図であり、同図に示される「Ａ〜Ｃ」の各アルファベットは、「Ａ」が第１単位ＬＥＤ領域２２４Ａを、「Ｂ」が第２単位ＬＥＤ領域２２４Ｂを、「Ｃ」が第３単位ＬＥＤ領域２２４Ｃを、それぞれ表している。そして、複数の単位ＬＥＤ領域２２４は、第１単位ＬＥＤ領域２２４Ａ、第２単位ＬＥＤ領域２２４Ｂ及び第３単位ＬＥＤ領域２２４Ｃの順で、Ｘ軸方向及びＹ軸方向に沿ってそれぞれ繰り返し並んで配されている。従って、複数の単位ＬＥＤ領域２２４は、Ｘ軸方向及びＹ軸方向の斜め方向について隣り合うもの同士が同じ種類とされる。具体的には、第１単位ＬＥＤ領域２２４Ａ、第２単位ＬＥＤ領域２２４Ｂ及び第３単位ＬＥＤ領域２２４Ｃは、図５に示す右斜め上方向（左斜め下方向）について同じ種類のものが続けて並ぶ配列となっている。一方、第１単位ＬＥＤ領域２２４Ａ、第２単位ＬＥＤ領域２２４Ｂ及び第３単位ＬＥＤ領域２２４Ｃは、図５に示す右斜め下方向（左斜め上方向）について異なる種類のものが隣り合って並ぶ配列となっている。
【００３５】
以上説明したように本実施形態によれば、複数の単位ＬＥＤ領域２２４には、光反射パターン及び光透過パターン（図示せず）の少なくとも一方の分布が異なる３種類以上のものが含まれる。このようにすれば、仮に複数の単位ＬＥＤ領域を２種類のみとした場合に比べると、複数の単位ＬＥＤ領域２２４に係る配置の組み合わせ数が多くなる。従って、光反射パターン及び光透過パターンの少なくとも一方が、行方向及び列方向の少なくとも一方について連続した周期性をより持ち難くなる。これにより、周期的な輝度ムラがより視認され難くなる。
【００３６】
＜実施形態４＞
本発明の実施形態４を図６及び図７によって説明する。この実施形態４では、上記した実施形態３から単位ＬＥＤ領域３２４を変更したものを示す。なお、上記した実施形態３と同様の構造、作用及び効果について重複する説明は省略する。
【００３７】
本実施形態に係る単位ＬＥＤ領域３２４には、図６に示すように、平面形状がほぼ正方形とされる多数の光反射ドット３２２Ａからなる光反射パターン３２２を有するものが含まれる。以下ではこの単位ＬＥＤ領域３２４を「第４単位ＬＥＤ領域」としてその添え字に「Ｄ」を付す。第４単位ＬＥＤ領域３２４Ｄにおいて光反射パターン３２２を構成する光反射ドット３２２Ａは、平面形状のみならず配置や大きさについても、第１単位ＬＥＤ領域３２４Ａ〜第３単位ＬＥＤ領域３２４Ｃのいずれとも異なっている。従って、第４単位ＬＥＤ領域３２４Ｄは、第１単位ＬＥＤ領域３２４Ａ〜第３単位ＬＥＤ領域３２４Ｃのいずれとも光反射パターン３２２及び光透過パターン３２３の分布がそれぞれ異なっている。その一方で、第４単位ＬＥＤ領域３２４Ｄは、第１単位ＬＥＤ領域３２４Ａ〜第３単位ＬＥＤ領域３２４Ｃのいずれとも光反射パターン３２２及び光透過パターン３２３の各面積比率が等しい。
【００３８】
本実施形態に係る複数の単位ＬＥＤ領域３２４には、図７に示すように、上記した実施形態３に記載した第１単位ＬＥＤ領域３２４Ａ、第２単位ＬＥＤ領域３２４Ｂ及び第３単位ＬＥＤ領域３２４Ｃと、第４単位ＬＥＤ領域３２４Ｄと、の４種類が含まれる。なお、図７は、上記した実施形態３の図５と同様に、Ｘ軸方向及びＹ軸方向に沿って６個ずつ並ぶ単位ＬＥＤ領域３２４の配列を表す模式図であり、同図に示される「Ｄ」のアルファベットは、第４単位ＬＥＤ領域３２４Ｄを表している。そして、複数の単位ＬＥＤ領域３２４は、第１単位ＬＥＤ領域３２４Ａ、第２単位ＬＥＤ領域３２４Ｂ、第３単位ＬＥＤ領域３２４Ｃ及び第４単位ＬＥＤ領域３２４Ｄの順で、Ｘ軸方向及びＹ軸方向に沿ってそれぞれ繰り返し並んで配されている。従って、複数の単位ＬＥＤ領域３２４は、Ｘ軸方向及びＹ軸方向の斜め方向について隣り合うもの同士が同じ種類とされる。
【００３９】
＜実施形態５＞
本発明の実施形態５を図８によって説明する。この実施形態５では、上記した実施形態４から単位ＬＥＤ領域４２４の配列数を変更したものを示す。なお、上記した実施形態４と同様の構造、作用及び効果について重複する説明は省略する。
【００４０】
本実施形態に係る複数の単位ＬＥＤ領域４２４は、図８に示すように、Ｙ軸方向に沿って８つずつ、Ｘ軸方向に沿って９つ以上ずつ、それぞれ並んで配されている。従って、本実施形態では、単位ＬＥＤ領域４２４の並び数の最小値は、８である。複数の単位ＬＥＤ領域４２４は、上記した実施形態４と同様に、光反射パターン及び光透過パターン（図示せず）の分布がそれぞれ異なる４種類のものを含んでいるが、その種類数は、Ｙ軸方向に沿って並ぶ単位ＬＥＤ領域４２４の並び数（単位ＬＥＤ領域４２４の並び数の最小値）の半分の値と一致している。これにより、複数の単位ＬＥＤ領域４２４に含まれる第１単位ＬＥＤ領域４２４Ａ、第２単位ＬＥＤ領域４２４Ｂ、第３単位ＬＥＤ領域４２４Ｃ及び第４単位ＬＥＤ領域４２４Ｄは、Ｙ軸方向について少なくとも２つずつが並んで配されている。また、本実施形態に係る各単位ＬＥＤ領域４２４は、それぞれ縦長の方形状をなす。
【００４１】
以上説明したように本実施形態によれば、複数の単位ＬＥＤ領域４２４は、光反射パターン及び光透過パターンの少なくとも一方の分布が異なるものの種類数が、行方向及び列方向についての単位ＬＥＤ領域４２４の並び数の最小値の半分以上の数とされる。このようにすれば、仮に光反射パターン及び光透過パターンの少なくとも一方の分布が異なる単位ＬＥＤ領域４２４の種類数を、行方向及び列方向についての単位ＬＥＤ領域４２４の並び数の最小値の半分よりも少なくした場合に比べると、周期的な輝度ムラが視認され難くなる。
【００４２】
＜実施形態６＞
本発明の実施形態６を図９によって説明する。この実施形態６では、上記した実施形態４から単位ＬＥＤ領域５２４を変更したものを示す。なお、上記した実施形態４と同様の構造、作用及び効果について重複する説明は省略する。
【００４３】
本実施形態に係る複数の単位ＬＥＤ領域５２４には、上記した実施形態４に記載した第１単位ＬＥＤ領域５２４Ａ、第２単位ＬＥＤ領域５２４Ｂ、第３単位ＬＥＤ領域５２４Ｃ及び第４単位ＬＥＤ領域５２４Ｄと、これらとは光反射パターン及び光透過パターン（図示せず）の分布が異なる第５単位ＬＥＤ領域５２４Ｅと、の５種類が含まれる。以下では、追加された単位ＬＥＤ領域５２４を「第５単位ＬＥＤ領域」としてその添え字に「Ｅ」を付す。なお、図９は、上記した実施形態４の図７と同様に、Ｘ軸方向及びＹ軸方向に沿って６個ずつ並ぶ単位ＬＥＤ領域５２４の配列を表す模式図であり、同図に示される「Ｅ」のアルファベットは、第５単位ＬＥＤ領域５２４Ｅを表している。そして、第１単位ＬＥＤ領域５２４Ａ、第２単位ＬＥＤ領域５２４Ｂ、第３単位ＬＥＤ領域５２４Ｃ、第４単位ＬＥＤ領域５２４Ｄ及び第５単位ＬＥＤ領域５２４Ｅは、図９に示す右斜め下方向（左斜め上方向）及び右斜め上方向（左斜め下方向）のいずれの斜め方向についても異なる種類のものが隣り合って並ぶ配列となっている。
【００４４】
以上説明したように本実施形態によれば、複数の単位ＬＥＤ領域５２４は、行方向及び列方向に対する斜め方向について隣り合うもの同士で光反射パターン及び光透過パターンの少なくとも一方の分布が異なるよう配される。このようにすれば、光反射パターン及び光透過パターンの少なくとも一方が、行方向及び列方向に加えて斜め方向についてもそれぞれ連続した周期性を持つことが避けられるので、周期的な輝度ムラがさらに視認され難くなる。
【００４５】
＜実施形態７＞
本発明の実施形態７を図１０によって説明する。この実施形態７では、上記した実施形態１から単位ＬＥＤ領域６２４の構成を変更したものを示す。なお、上記した実施形態１と同様の構造、作用及び効果について重複する説明は省略する。
【００４６】
本実施形態に係る複数の単位ＬＥＤ領域６２４は、図１０に示すように、光反射パターン６２２の分布が同じとされる。詳しくは、Ｘ軸方向及びＹ軸方向について隣り合う単位ＬＥＤ領域６２４は、それぞれの光反射パターン６２２を構成する多数の光反射ドット６２２Ａ間の位置関係が一定に保持されているものの、単位ＬＥＤ領域６２４内における光反射パターン６２２全体のＸ軸方向及びＹ軸方向についての配置が異なっている。つまり、単位ＬＥＤ領域６２４における中心位置に対する光反射パターン６２２における中心位置の位置関係が、隣り合う単位ＬＥＤ領域６２４でＸ軸方向及びＹ軸方向について異なっている。このように、光反射パターン６２２の分布が共通化されるので、反射板の製造に際して光反射パターン６２２を形成するのに要するコストを低廉化することができる。また、このような構成により、Ｘ軸方向及びＹ軸方向について隣り合う単位ＬＥＤ領域６２４は、それぞれの光透過パターン６２３の分布が互いに異なっている。
【００４７】
＜実施形態８＞
本発明の実施形態８を図１１によって説明する。この実施形態８では、上記した実施形態７から単位ＬＥＤ領域７２４の配置を変更したものを示す。なお、上記した実施形態７と同様の構造、作用及び効果について重複する説明は省略する。
【００４８】
本実施形態に係る複数の単位ＬＥＤ領域７２４は、図１１に示すように、Ｙ軸方向について隣り合うもの同士で光反射パターン７２２及び光透過パターン７２３の分布がそれぞれ同じとなるよう配される。詳しくは、Ｘ軸方向及びＹ軸方向について隣り合う単位ＬＥＤ領域７２４は、それぞれの光反射パターン７２２を構成する多数の光反射ドット７２２Ａ間の位置関係が一定に保持される点では、上記した実施形態７と同様とされる。さらには、Ｘ軸方向について隣り合う単位ＬＥＤ領域７２４は、単位ＬＥＤ領域７２４内における光反射パターン７２２全体のＸ軸方向及びＹ軸方向についての配置が異なっている点でも、上記した実施形態７と同様とされる。しかしながら、本実施形態では、Ｙ軸方向について隣り合う単位ＬＥＤ領域７２４は、単位ＬＥＤ領域７２４内における光反射パターン７２２全体のＸ軸方向及びＹ軸方向についての配置が同一とされる。このように、Ｙ軸方向に沿って並んで１つの列をなす複数の単位ＬＥＤ領域７２４における光反射パターン７２２及び光透過パターン７２３の分布が共通化されるので、反射板の製造に際して光反射パターン７２２を形成するのに要するコストを低廉化することができる。
【００４９】
以上説明したように本実施形態によれば、複数の単位ＬＥＤ領域７２４は、行方向及び列方向の一方について隣り合うもの同士で光反射パターン７２２及び光透過パターン７２３の分布がそれぞれ同じとなるよう配される。このようにすれば、行方向及び列方向の一方について隣り合う単位ＬＥＤ領域７２４における光反射パターン７２２及び光透過パターン７２３の分布がそれぞれ共通化されるので、反射板に係る製造コストをさらに低廉化することができる。
【００５０】
＜実施形態９＞
本発明の実施形態９を図１２によって説明する。この実施形態９では、上記した実施形態１から単位ＬＥＤ領域８２４の構成を変更したものを示す。なお、上記した実施形態１と同様の構造、作用及び効果について重複する説明は省略する。
【００５１】
本実施形態に係る単位ＬＥＤ領域８２４は、図１２に示すように、平面充填するよう並ぶ複数の単位領域２７に区分されている。そして、光反射パターン８２２及び光透過パターン８２３は、単位ＬＥＤ領域８２４における分布が非点対称状となるよう複数の単位領域２７に割り当てられている。単位領域２７は、平面形状がほぼ正方形とされる。このように単位ＬＥＤ領域８２４において非点対称状に分布する光反射パターン８２２及び光透過パターン８２３により、単位ＬＥＤ領域８２４の出射光の輝度分布は、非点対称状となる。ここで、仮に単位ＬＥＤ領域における光反射部及び光透過部の分布が点対称状であると、単位ＬＥＤ領域の出射光の輝度分布も点対称状となって明暗の境界線が同心円状になり易くて輝度ムラが視認され易くなる。それに比べると、単位ＬＥＤ領域８２４の出射光の輝度分布が非点対称状となれば、明暗の境界が非連続的に分散されるので、出射光の輝度分布が複雑化して全体としてなだらかになる。以上により、輝度ムラが視認され難くなる。なお、複数の単位領域２７に対して光反射パターン８２２及び光透過パターン８２３を割り当てるのに際しては、各単位領域２７に乱数値を設定し、その乱数値に基づいて行うようにすれば、光反射パターン８２２及び光透過パターン８２３を各単位領域２７に対してランダムに割り当てることが可能となる。
【００５２】
＜実施形態１０＞
本発明の実施形態１０を図１３または図１４によって説明する。この実施形態１０では、上記した実施形態１から反射板９１８の構成を変更したものを示す。なお、上記した実施形態１と同様の構造、作用及び効果について重複する説明は省略する。
【００５３】
本実施形態に係る反射板９１８は、図１３に示すように、合成樹脂製とされて光を反射する反射基板２８を有している。反射基板２８は、板面が光の反射性に優れた白色を呈している。そして、光透過パターン９２３は、反射基板２８を部分的に開口させて形成されるのに対し、光反射パターン９２２は、反射基板２８のうちの光透過パターン９２３（開口）の非形成箇所からなる。光透過パターン９２３である開口は、反射基板２８をＺ軸方向（板厚方向）に貫通する形で形成されている。光反射パターン９２２及び光透過パターン９２３は、図１４に示すような分布を有している。光反射パターン９２２である開口は、平面形状が円形とされる。なお、図１４では、Ｘ軸方向及びＹ軸方向について２つずつ並ぶ合計４つの単位ＬＥＤ領域９２４を代表して図示するとともに、各単位ＬＥＤ領域９２４における光反射パターン９２２（非開口箇所）を網掛け状にして図示している。このような構成によれば、反射基板２８を部分的に開口させることで光透過パターン９２３を形成することができ、反射基板２８のうちの開口されない箇所が光反射パターン９２２となる。これにより、反射基板２８の開口からなる光透過パターン９２３の位置精度及び寸法精度が高いものとなるので、光反射パターン９２２及び光透過パターン９２３による光反射性能及び光透過性能を適切に発揮させることができる。
【００５４】
＜他の実施形態＞
本発明は上記記述及び図面によって説明した実施形態に限定されるものではなく、例えば次のような実施形態も本発明の技術的範囲に含まれる。
（１）上記した実施形態４の変形例として、図１５に示すように、Ｙ軸方向について奇数番目の行については、第１単位ＬＥＤ領域３２４Ａ−１と第２単位ＬＥＤ領域３２４Ｂ−１とがＸ軸方向に沿って交互に繰り返し並ぶ配列とされ、Ｙ軸方向について偶数番目の行については、第３単位ＬＥＤ領域３２４Ｃ−１と第４単位ＬＥＤ領域３２４Ｄ−１とがＸ軸方向に沿って交互に繰り返し並ぶ配列とされていてもよい。
（２）上記した各実施形態以外にも、単位ＬＥＤ領域における光反射パターン及び光透過パターンの具体的な分布は適宜に変更可能である。例えば、光反射パターン及び光透過パターンは、点対称状の分布を有していてもよい。また、光反射パターン及び光透過パターンは、規則性を有さないランダムな分布を有してもよいが、規則性を有する分布を有していてもよい。
（３）上記した各実施形態以外にも、光反射パターンや光透過パターンが異なる単位ＬＥＤ領域の具体的な並び順や設置数（並び数）などは適宜に変更可能である。例えば、光反射パターンや光透過パターンが異なる単位ＬＥＤ領域が規則性を有さずにランダムに配列されていても構わない。また、ＬＥＤの設置数なども適宜に変更可能である。
（４）上記した実施形態１〜９に記載した構成において、光反射ドットの平面形状は、円形や正方形以外にも、楕円形、半円形、長円形、長方形、菱形、台形、三角形、五角形以上の多角形などに適宜に変更可能である。
（５）上記した実施形態１０に記載した構成において、光透過パターンの開口の平面形状は、円形以外にも、楕円形、半円形、長円形、正方形、長方形、菱形、台形、三角形、五角形以上の多角形などに適宜に変更可能である。
（６）上記した各実施形態以外にも、単位ＬＥＤ領域の具体的な平面形状などは適宜に変更可能である。同様に、ＬＥＤの具体的な平面形状なども適宜に変更可能である。
（７）上記した実施形態９以外にも、単位領域の具体的な平面形状は正方形以外にも適宜に変更可能であり、例えば正三角形、平行四辺形、正五角形、正八角形などの正多角形であってもよい。それ以外にも、単位領域の平面形状は、非正三角形、長方形、台形などの非正多角形であってもよく、さらには円形や楕円形などの非多角形であっても構わない。
（８）上記した実施形態９では、単位領域の平面形状や外形寸法（大きさ）が１種類のみとされる場合を示したが、単位領域として平面形状や大きさが異なるものを複数種類設定することも可能である。
（９）上記した実施形態９では、複数の単位領域に対して光反射パターン及び光透過パターンを割り当てるのに際して乱数を用いた場合を示したが、乱数を用いることなく、光反射パターン及び光透過パターンを各単位領域に対してランダムに割り当てることも可能である。
（１０）上記した実施形態８では、Ｙ軸方向について隣り合う単位ＬＥＤ領域における光反射パターン及び光透過パターンを共通化した場合を示したが、Ｘ軸方向について隣り合う単位ＬＥＤ領域における光反射パターン及び光透過パターンを共通化することも可能である。
（１１）上記した実施形態１〜９では、反射板を構成する透過基板における裏側の板面に光反射パターンを形成した場合を示したが、透過基板における表側の板面に光反射パターンを形成することも可能である。
（１２）上記した実施形態１０では、反射板の反射基板を合成樹脂製とした場合を示したが、反射板の反射基板を金属製とすることも可能である。その場合には、反射基板にエッチング加工を施すことで高精細な開口（光透過部）を形成することができる。
（１３）上記した実施形態１０に記載した構成に、実施形態７，８に記載した構成を組み合わせることも可能である。その場合、反射基板に光透過パターンとなる開口を形成するための抜き型が単一形状で済ませることが可能となり、製造コストの低廉化を図る上で好適となる。
（１４）上記した（１３）以外にも、各実施形態に記載した構成を適宜に組み合わせることが可能である。
（１５）上記した各実施形態以外にも、バックライト装置において光学部材の外周端部を保持する枠状のフレームがマトリクス状に並ぶＬＥＤの間を仕切る仕切壁を有していてもよい。その場合、仕切壁の表面の色としては光の反射性に優れた白色などとするのが好ましい。
（１６）上記した各実施形態以外にも、光学部材の枚数や積層順や種類などは適宜に変更可能である。例えば、反射板とＬＥＤとの間に他の光学部材（拡散シート）が介在せず、ＬＥＤに対して反射板が直接対向配置される構成であっても構わない。
（１７）上記した各実施形態では、光源としてＬＥＤを用いた場合を示したが、光源としてＬＥＤ以外にも有機ＥＬなどを用いることも可能である。
（１８）上記した各実施形態では、表示パネルとして液晶パネルを例示したが、他の種類の表示パネル（ＭＥＭＳ（Micro Electro Mechanical Systems）表示パネルなど）にも本発明は適用可能である。
【符号の説明】
【００５５】
１０…液晶表示装置（表示装置）、１１…液晶パネル（表示パネル）、１２…バックライト装置（照明装置）、１３…ＬＥＤ（光源）、１８，９１８…反射板、２１…透過基板、２２，１２２，３２２，６２２，７２２，８２２，９２２…光反射パターン、２３，１２３，３２３，６２３，７２３，８２３，９２３…光透過パターン、２４，１２４，２２４，３２４，４２４，５２４，６２４，７２４，８２４，９２４…単位ＬＥＤ領域（単位光源領域）、２５…ＬＥＤ重畳領域（光源重畳領域）、２６…ＬＥＤ周辺領域（光源周辺領域）、２７…単位領域、２８…反射基板
【図１】
2019129066.tif 000003
【図２】
2019129066.tif 000004
【図３】
2019129066.tif 000005
【図４】
2019129066.tif 000006
【図５】
2019129066.tif 000007
【図６】
2019129066.tif 000008
【図７】
2019129066.tif 000009
【図８】
2019129066.tif 000010
【図９】
2019129066.tif 000011
【図１０】
2019129066.tif 000012
【図１１】
2019129066.tif 000013
【図１２】
2019129066.tif 000014
【図１３】
2019129066.tif 000015
【図１４】
2019129066.tif 000016
【図１５】
2019129066.tif 000017